(57)【要約】【課題】作業手袋を装着したままで鉛筆やカッターなどの作業用品を容易に取出し、また収納することのできる収納部を備えた作業手袋を提供する。【解決手段】手袋本体１の所定箇所に、鉛筆、カッターあるいは手ばさみなどの作業用品Ｓの一部または全部を収納することのできる収納部１０を設けてなり、前記収納部１０は、収納空間部１５に連通する前端開口部１３および後端開口部１４の他に、前記収納空間部１５より幅狭の上端解放部１６または側端解放部１７を有するものであることとする。【選択図】        図１
2006111987.tif 000002
【特許請求の範囲】
【請求項１】
手袋本体（１）の所定箇所に，鉛筆，カッターあるいは手ばさみなどの作業用品（Ｓ）の一部または全部を収納することのできる収納部（１０）を設けてなり、前記収納部は，収納空間部（１５）に連通する前端開口部（１３）および後端開口部（１４）の他に，前記収納空間部より幅狭の上端解放部（１６）または側端解放部（１７）を有するものであることを特徴とする収納部付き作業手袋。
【請求項２】
メリヤス製縫い合わせ手袋本体（１）または編み手袋本体（１）の少なくとも掌部に，高分子補強部材（２）を部分的または全面的に塗布し，あるいはシート状に貼付けて補強加工した保護手袋の甲部（３）に，鉛筆，カッターあるいは手ばさみなどの作業用品（Ｓ）の一部または全部を着脱自在に嵌め込んで挟持する収納部（１０）を設けてなり、前記収納部は，収納空間部（１５）に連通する前端開口部（１３）および後端開口部（１４）の他に，前記収納空間部より幅狭の上端解放部（１６）または側端解放部（１７）を有するものであることを特徴とする収納部付き作業手袋。
【請求項３】
革または革と布やメリヤスとを組合わせて縫合した革手袋の甲部（３）に，鉛筆，カッターあるいは手ばさみなどの作業用品（Ｓ）の一部または全部を着脱自在に嵌め込んで挟持する収納部（１０）を設けてなり、前記収納部は，収納空間部（１５）に連通する前端開口部（１３）および後端開口部（１４）の他に，前記収納空間部より幅狭の上端解放部（１６）または側端解放部（１７）を有するものであることを特徴とする収納部付き作業手袋。
【請求項４】
収納部（１０）を、手袋本体（１）に取り付ける底板部材（１１）と、作業用品（Ｓ）を挟持する上部材（１２）とで形成し、少なくとも上部材の作業用品に接する部分を、弾力性に富み、かつ滑り止め効果の高い高分子材料で形成してなる請求項１乃至３のいずれかに記載の収納部付き作業手袋。
【請求項５】
収納部（１０）の少なくとも底板部材（１１）の一部または全部を、磁性を持たせた素材で形成してなる請求項１乃至４のいずれかに記載の収納部付き作業手袋。
【請求項６】
収納部（１０）の上部材（１２）の側壁（１２ａ）に、上方に開口する凹部（１９）または縦スリット（２０）あるいはその両方を形成してなる請求項１乃至５のいずれかに記載の収納部付き作業手袋。
【請求項７】
収納部（１０）の上部材（１２）の上端部または側端部に、外方に折曲げ状に形成され、作業用品（Ｓ）を上端解放部（１６）または側端解放部（１７）に案内するガイド片（１８）を設けてなる請求項１乃至６のいずれかに記載の収納部付き作業手袋。
【請求項８】
収納部（１０）の少なくとも上部材（１２）を、前後方向に先細り状に徐々に縮径してなる請求項１乃至７のいずれかに記載の収納部付き作業手袋。
【発明の詳細な説明】
【技術分野】
【０００１】
本発明は、鉛筆、カッター、手ばさみなどの作業用品を収納する収納部を備えた作業手袋に関するものである。
【背景技術】
【０００２】
従来から、メリヤス製縫い合わせ手袋や編み手袋の表面に、塩ビ製やゴム製などの補強シートを貼り付けた作業手袋が多く使用されている。
【０００３】
こうした作業手袋を装着して各種の作業を行う場合、鉛筆やボールペン、カッター、あるいは手ばさみなどの作業用品を使用する必要がある場合が多々あるが、そうした作業用品は通常、作業着のポケット等に収納している。
【発明の開示】
【発明が解決しようとする課題】
【０００４】
しかし、鉛筆やカッターなどの作業用品を作業着のポケット等に収納した場合、作業手袋を装着したまま、そうした作業用品を取り出すことは案外厄介であり、手間取る。従って、作業手袋を一旦外して作業用品を取り出し、再び、作業手袋を装着するなどの面倒な動きが要求されてきた。
【０００５】
本発明はこうした問題に鑑み創案されたもので、作業手袋を装着したままで鉛筆やカッターなどの作業用品を容易に取出し、また収納することのできる収納部を備えた作業手袋を提供することを課題とする。
【課題を解決するための手段】
【０００６】
図１乃至図１３を参照して説明する。請求項１に記載の収納部付き作業手袋は、手袋本体１の所定箇所に、鉛筆、カッターあるいは手ばさみなどの作業用品Ｓの一部または全部を収納することのできる収納部１０を設けてなり、前記収納部１０は、収納空間部１５に連通する前端開口部１３および後端開口部１４の他に、前記収納空間部１５より幅狭の上端解放部１６または側端解放部１７を有するものであることを特徴とするものである。
【０００７】
請求項２に記載の収納部付き作業手袋は、メリヤス製縫い合わせ手袋本体１または編み手袋本体１の少なくとも掌部に、高分子補強部材２を部分的または全面的に塗布し、あるいはシート状に貼付けて補強加工した保護手袋の甲部３に、鉛筆、カッターあるいは手ばさみなどの作業用品Ｓの一部または全部を着脱自在に嵌め込んで挟持する収納部１０を設けてなり、前記収納部１０は、収納空間部１５に連通する前端開口部１３および後端開口部１４の他に、前記収納空間部１５より幅狭の上端解放部１６または側端解放部１７を有するものであることを特徴とするものである。
【０００８】
なお、保護手袋とは、いわゆる滑り止め手袋、ディッピング手袋、ゴム張り手袋を含み、広い概念では、後記の革手袋や組立用手袋も含む。
【０００９】
請求項３に記載の収納部付き作業手袋は、革または革と布やメリヤスとを組合わせて縫合した革手袋の甲部３に、鉛筆、カッターあるいは手ばさみなどの作業用品Ｓの一部または全部を着脱自在に嵌め込んで挟持する収納部１０を設けてなり、前記収納部１０は、収納空間部１５に連通する前端開口部１３および後端開口部１４の他に、前記収納空間部１５より幅狭の上端解放部１６または側端解放部１７を有するものであることを特徴とするものである。
【００１０】
請求項４に記載の収納部付き作業手袋は、請求項１乃至３のいずれかに記載の発明において、収納部１０を、手袋本体１に取り付ける底板部材１１と、作業用品Ｓを挟持する上部材１２とで形成し、少なくとも上部材１２の作業用品Ｓに接する部分を、弾力性に富み、かつ滑り止め効果の高い高分子材料で形成してなる。この高分子材料には、塩ビ、ゴム、ウレタン等が含まれる。
【００１１】
請求項５に記載の収納部付き作業手袋は、請求項１乃至４のいずれかに記載の発明において、収納部１０の少なくとも底板部材１１の一部または全部を、磁性を持たせた素材で形成してなるものである。磁性素材には、ゴム磁石が含まれる。
【００１２】
請求項６に記載の収納部付き作業手袋は、請求項１乃至５のいずれかに記載の発明において、収納部１０の上部材１２の側壁１２ａに、上方に開口する凹部１９または縦スリット２０あるいはその両方を形成してなるものである。
【００１３】
請求項７に記載の収納部付き作業手袋は、請求項１乃至６のいずれかに記載の発明において、収納部１０の上部材１２の上端部または側端部に、外方に折曲げ状に形成され、作業用品Ｓを上端解放部１６または側端解放部１７に案内するガイド片１８を設けてなるものである。
【００１４】
請求項８に記載の収納部付き作業手袋は、請求項１乃至７のいずれかに記載の発明において、収納部１０の少なくとも上部材１２を、前後方向に先細り状に徐々に縮径してなる。
【発明の効果】
【００１５】
請求項１に記載の発明は、手袋本体１の所定箇所に、鉛筆、カッターあるいは手ばさみなどの作業用品Ｓの一部または全部を収納することのできる収納部１０を設けたので、他方の手に作業手袋を装着したままでも、当該収納部１０に収納している作業用品Ｓを容易に取出し、また、収納することができる。
【００１６】
また、この収納部１０は、その前端開口部１３および後端開口部１４の他に、収納空間部１５より幅狭の上端解放部１６または側端解放部１７を有するので、作業用品Ｓを、前端開口部１３または後端開口部１４からのみならず、上端解放部１６または側端解放部１７から取出し、また、収納することができる。これにより、作業用品Ｓの収納および取出しをさらに容易なものとすることができる。
【００１７】
特に、この収納部１０は手袋本体１の甲部３に設けているので、他方の手による取出しと収納を自然な動作で容易に行うことができる。また、収納部１０に収めた作業用品Ｓが作業の邪魔になることがない。ちなみに、収納部１０を手袋本体１の掌部に設けると、当該収納部１０に収納した作業用品Ｓが作業の邪魔になり、好ましくない。
【００１８】
請求項２に記載の発明は、メリヤス製縫い合わせ手袋本体１または編み手袋本体１の少なくとも掌部に、高分子補強部材２を部分的または全面的に塗布し、あるいはシート状に貼付けて補強加工した保護手袋の甲部３に、鉛筆、カッターあるいは手ばさみなどの作業用品Ｓの一部または全部を着脱自在に嵌め込んで挟持する収納部１０を設けたので、こうした保護手袋において、他方の手に作業手袋を装着したままでも、当該収納部１０に収納している作業用品Ｓを容易に取出し、また、収納することができる。
【００１９】
また、この収納部１０は、上端解放部１６または側端解放部１７を有するので、作業用品Ｓを、前端開口部１３または後端開口部１４からのみならず、上端解放部１６または側端解放部１７から取出したり収納することができる。
【００２０】
請求項３に記載の発明は、革または革と布やメリヤスとを組合わせて縫合した革手袋の甲部３に、鉛筆、カッターあるいは手ばさみなどの作業用品Ｓの一部または全部を着脱自在に嵌め込んで挟持する収納部１０を設けたので、こうした革手袋において、他方の手に作業手袋を装着したままでも、当該収納部１０に収納している作業用品Ｓを容易に取出し、また、収納することができる。
【００２１】
また、この収納部１０は、その前端開口部１３および後端開口部１４の他に、収納空間部１５より幅狭の上端解放部１６または側端解放部１７を有するので、作業用品Ｓを、前端開口部１３または後端開口部１４からのみならず、上端解放部１６または側端解放部１７からの取出しおよび収納を行うことができる。従って、作業用品Ｓの収納および取出しをさらに容易に行うことができる。
【００２２】
請求項４に記載の発明は、収納部１０を、手袋本体１に取り付ける底板部材１１と、作業用品Ｓを挟持する上部材１２とで形成し、少なくとも上部材１２の作業用品Ｓに接する部分を、弾力性に富み、かつ滑り止め効果の高い高分子材料で形成したので、作業用品Ｓの収納および取出しを、より容易なものとすることができると共に、当該作業用品Ｓを強固に保持することができる。
【００２３】
すなわち、作業用品Ｓを上部材１２に差し込むだけで、上部材１２が弾性変形して拡張し、当該作業用品Ｓを容易に受入れた後、その弾性収縮力によって強く保持する。また、作業用品Ｓの取り出しは、当該作業用品Ｓを引き抜くのみで、上部材１２が弾性変形して拡張するので、容易に抜き出すことができる。また、作業用品Ｓを収納した状態では、滑り止め効果の高い高分子材料で形成した上部材１２によって作業用品Ｓを挟持するので、当該作業用品Ｓの滑り落ちを効果的に防止して強固に保持することができる。
【００２４】
請求項５に記載の発明は、収納部１０の少なくとも底板部材１１の一部または全部を、磁性を持たせた素材で形成したので、金属製の作業用品Ｓを収納した場合には、底板部材１１の磁力によって当該作業用品Ｓを強固に保持することができる。
【００２５】
請求項６に記載の発明は、収納部１０の上部材１２の側壁１２ａに、上方に開口する凹部１９または縦スリット２０あるいはその両方を形成したので、当該側壁１２ａを収納する作業用品Ｓの形状に対応して、より柔軟に弾性変形させることができる。従って、作業用品Ｓの収納および取出しを、より容易なものとすることができると共に、収納状態においては、側壁１２ａを作業用品Ｓに密に弾接させて、より強固に保持することができる。
【００２６】
請求項７に記載の発明は、収納部１０の上部材１２の上端部または側端部に、外方に折曲げ状に形成したガイド片１８を設けたので、作業用品Ｓを、上端解放部１６または側端解放部１７に円滑に案内することができる。これにより、作業用品Ｓを上端解放部１６または側端解放部１７から、より容易に収納することができる。
【００２７】
請求項８に記載の発明は、収納部１０の少なくとも上部材１２を、前後方向に先細り状に徐々に縮径したので、例えば、手ばさみなどの、基端部分から先端部分に先細り状となった作業用品Ｓを、安定姿勢で強固に保持することができる。
【発明を実施するための最良の形態】
【００２８】
本発明に係る収納部付き作業手袋の第一実施形態を、図１に示す。これは、メリヤス製縫い合わせ手袋本体１の掌部に、高分子補強部材（塩ビ、ゴム、ウレタンなど）２を全面的に塗布して補強加工したいわゆる保護手袋の甲部３に、鉛筆、カッターあるいは手ばさみなどの作業用品Ｓの一部または全部を着脱自在に嵌め込んで挟持する収納部１０を設けたものである。
【００２９】
この収納部１０は、手袋本体１に取り付ける底板部材１１と、作業用品Ｓを挟持する上部材１２とで形成し、弾力性に富み、かつ滑り止め効果の高い高分子材料（例えば、塩ビ、ゴム、ウレタンなど）で形成している。また、この収納部１０を構成する上部材１２は、前端開口部１３および後端開口部１４の他に、作業用品Ｓを収納する空間部分である収納空間部１５より幅狭の上端解放部１６を有する。さらに、収納部１０の上部材１２は、その上端部に、外方に折曲げ状に形成したガイド片１８を一対設けている。
【００３０】
この収納部付き作業手袋において、鉛筆などの作業用品Ｓを収納部１０に収納するには、その前端開口部１３または後端開口部１４から挿入することができると共に、その上端解放部１６からも挿入することもできる。その場合、作業用品Ｓは一対のガイド片１８によって上端開口部に円滑に案内され、収納部１０は弾力性に富む材料で形成されているので、容易に弾性変形して作業用品Ｓを受け入れることができる。
【００３１】
また、収納状態にあっては、弾力性に富み、かつ、滑り止め効果の高い高分子材料で形成された収納部１０の上部材１２によって、強固に挟持される。さらに、作業用品Ｓを取り出す際は、引き抜く力によって上部材１２が容易に弾性変形する。従って、作業用品Ｓの収納および取出しを容易に行うことができる。
【００３２】
本発明に係る収納部付き作業手袋の第二実施形態を、図２に示す。これは、革と布を組合わせて縫合した革手袋の甲部３に、鉛筆、カッターあるいは手ばさみなどの作業用品Ｓの一部または全部を着脱自在に嵌め込んで挟持する収納部１０を設けたものである。
【００３３】
この収納部１０は、前端開口部１３および後端開口部１４の他に、収納空間部１５より幅狭の上端解放部１６を有している。また、収納部１０の上部材１２を、前後方向（本実施形態では、後端から前端に向けて）に先細り状に縮径した構成としている。さらに、この収納部１０の底板部材１１は、磁性を持たせた素材（ゴム磁石）を使用して形成している。
【００３４】
こうした構成の本実施形態に係る収納部付き作業手袋は、金属製の手ばさみを収納するのに適している。すなわち、先細り状に縮径した上部材１２に、同様に、平面略三角形状で先細り形状の手ばさみを収納すると、その手ばさみの全体を上部材１２が密に挟持することができ、当該手ばさみを強固に保持することができる。
【００３５】
また、底板部材１１をゴム磁石を使用して形成しているので、その磁力によっても手ばさみを保持することができ、さらに強固な保持を可能としている。
【００３６】
本発明に係る収納部付き作業手袋の第三実施形態を、図３に示す。この作業手袋の特徴は、収納部１０を構成する上部材１２の側壁１２ａに、上方に開放する縦スリット２０を複数形成したことである。縦スリット２０を形成することによって、例えば、マジックインク（登録商標）のように、本体部分の径と、先端キャップ部分の径が異なる作業用品Ｓを収納する場合、側壁１２ａの各部分が作業用品Ｓの径に対応して自在に弾性変形する。従って、こうした作業用品Ｓの全体を強く挟持することができる。
【００３７】
本発明に係る収納部付き作業手袋の第四実施形態を、図４に示す。この作業手袋の特徴は、その収納部１０を前後方向に先細り状に縮径した形状とし、かつ、その側壁１２ａに複数の縦スリット２０を形成したことである。
【００３８】
これにより、例えば、手ばさみなどの平面略三角形状の作業用品Ｓに、縦スリット２０で分割した側壁１２ａの各部分がより効果的に密着して、さらに安定姿勢で保持することができる。
【００３９】
本発明に係る収納部付き作業手袋の第五実施形態を、図５に示す。この作業手袋の特徴は、上部材１２の側壁１２ａに、上方に開口する凹部１９を設けたことである。この凹部１９を設けることによって、上端解放部１６から作業用品Ｓを挿入する際の抵抗を減少させ、当該作業用品Ｓの収納をさらに容易なものとすることができる。また、側壁１２ａの前部分と後部分を別個に弾性変形自在とすることができるので、あらゆる形状の作業用品Ｓを容易に収納および取出しすることができる。
【００４０】
本発明に係る収納部付き作業手袋の第六実施形態を、図６に示す。この作業手袋の特徴は、収納部１０に収納空間部１５より幅狭の側端解放部１７を形成したことである。この側端開放部は、底板部材１１と上部材１２の側端部との間に形成しており、作業用品Ｓは、前端開口部１３および後端開口部１４の他に、この側端解放部１７から挿入して収納することができる。また、上部材１２の側端部にはガイド片１８を設け、作業用品Ｓを側端解放部１７に案内し、その収納をより円滑なものとしている。
【００４１】
なお、本発明に係る収納部付き作業手袋において、その収納部１０は、次のように形成することができる。図７および図８を参照して説明する。すなわち、底板部材１１に、断面略円形もしくは断面矩形状の管状の弾性筒体を形成し、前者ではその頂上部分に、後者ではその左右側端部のいずれかにカット加工を施して上端解放部１６または側端解放部１７を形成する。
【００４２】
なお、断面矩形状の場合、上部材１２と底板部材１１との間に側端解放部１７を形成すべく、あらかじめそのように成形した上部材１２を底板部材１１に固着することもできる。
【００４３】
収納部１０には、作業用品Ｓの挿入を容易にするためのガイド片１８を設けることが好ましいが、その場合、底板部材１１に、ガイド片１８を備えた金属板バネ等（乾電池等を保持するために多く使用されている）を取付けることが考えられる。しかし、これは滑り止め効果に欠けるので、金属部分に樹脂被膜を形成する必要が生じ、製造コストが嵩む。従って、インジェクション成形によって金型内で底板部材１１と上部材１２とを高分子材料によって一体成形するのが好ましい。そうして形成した収納部１０を、図９および図１０に示す。
【００４４】
なお、上部材１２は、収納する作業用品Ｓの形状に応じてその数、形状、配置を自在に設定することができる。例えば、図１１に示すものは、上部材１２の上端部に上端解放部１６を形成し、二股状にしたものである。この二股の各部分の大きさを変えることもできるし、さらには、図１２に示すように、縦スリット２０を形成することもできる。縦スリット２０を形成すると、前記した如く、各部分が収納する作業用品Ｓの大きさに応じて拡張し、安定した挟持性能を持つようにすることができる。
【００４５】
また、図１３に示すような側端解放部１７を有する収納部１０の場合も、その形状に限定はなく、大きさの異なる複数の部材の組合せ形状としても良く、手ばさみなど、先端が狭く、手前が広い作業用品Ｓの収納においてはその形状に応じた形状とすることができる。さらには縦スリット２０を形成すると、各部分が収納する作業用品Ｓの大きさに応じて拡張し、安定した挟持性能を持つようにすることができる。
【００４６】
また、特に、側端解放部１７を形成した収納部１０の場合は、底板部材１１に、側端解放部１７よりも外側に位置する外側部１１ａを形成して、作業用品Ｓを挿入する際の案内役として機能させることができる。なお、収納部１０の手袋本体１への取り付けは、縫い付け、接着、融着等のいずれの方法によっても行うことができる。
【００４７】
更には、手袋側には面ファスナーＡ面を、収納部１０の底面側には面ファスナーＢ面を取り付ける方法とすれば、作業の用途に応じて収納部１０の形状を替えて使用する事もできる。
【００４８】
また、手袋本体１に対する収納部１０の配置には限定はなく、基本的には甲部３の手首部分が良いが、組立用手袋（広い概念での保護手袋）において小型のドライバー等を収納する場合は、作業する姿勢によっては、人差し指と親指との付け根部分に取付けることもできる。これは、革手袋など、他の保護手袋においても同様である。
【００４９】
さらに、革手袋の場合など、手袋本体１の手首部分に大きな開口部を形成し、かつ、その開口部を面ファスナーによって閉鎖するものにおいては、上側の面ファスナーを設けた素材の上面に収納部１０を設けると面ファスナーの硬さと相俟って、より底板部材１１が堅固となるので、作業用品Ｓの収納を行い易くすることができる。
【図面の簡単な説明】
【００５０】
【図１】本発明の第一実施形態を示すもので、（ａ）は全体平面図、（ｂ）は収納部の斜視図、（ｃ）はその正面図、（ｄ）はその側面図、（ｅ）はその平面図である。
【図２】本発明の第二実施形態を示すもので、（ａ）は全体平面図、（ｂ）は収納部の斜視図、（ｃ）はその正面図、（ｄ）はその側面図、（ｅ）はその平面図、（ｆ）はその背面図である。
【図３】本発明の第三実施形態における収納部を示すもので、（ａ）は斜視図、（ｂ）は作業用品収納時の平面図（底板部材省略）である。
【図４】本発明の第四実施形態における収納部を示す斜視図である。
【図５】本発明の第五実施形態における収納部を示す斜視図である。
【図６】本発明の第六実施形態を示すもので、（ａ）は全体平面斜視図である。また、（ｂ）は収納部の他の態様を示す斜視図である。
【図７】本発明における収納部を形成する方法を示す斜視図である。
【図８】本発明における他の収納部を形成する方法を示す斜視図である。
【図９】本発明の他の実施形態を示す斜視図である。
【図１０】本発明のさらに他の実施形態を示す斜視図である。
【図１１】本発明のさらに他の実施形態を示す斜視図である。
【図１２】本発明のさらに他の実施形態を示す斜視図である。
【図１３】本発明のさらに他の実施形態を示す斜視図である。
【符号の説明】
【００５１】
１        手袋本体
２        補強部材
３        甲部
１０      収納部
１１      底板部材
１１ａ    外側部
１２      上部材
１２ａ    側壁
１３      前端開口部
１４      後端開口部
１５      収納空間部
１６      上端解放部
１７      側端解放部
１８      ガイド片
１９      凹部
２０      縦スリット
Ｓ        作業用品
【図１】
2006111987.tif 000003
【図２】
2006111987.tif 000004
【図３】
2006111987.tif 000005
【図４】
2006111987.tif 000006
【図５】
2006111987.tif 000007
【図６】
2006111987.tif 000008
【図７】
2006111987.tif 000009
【図８】
2006111987.tif 000010
【図９】
2006111987.tif 000011
【図１０】
2006111987.tif 000012
【図１１】
2006111987.tif 000013
【図１２】
2006111987.tif 000014
【図１３】
2006111987.tif 000015